(57)【特許請求の範囲】
【請求項１】
ユーザの端末とネットワークを介して接続され、ユーザに提供された、くじの抽選番号と、くじ運用システムのサーバのＷｅｂページアドレスとからなるくじ情報が印刷されたくじを用いて抽選を行う、くじ運用システムのサーバであって、
ユーザの端末にＷｅｂページを提供するＷｅｂページ表示手段と、
ユーザの端末にて入力された、くじの抽選番号を受け取る抽選番号受付手段と、
前記くじの抽選番号について、くじの不正使用が行われていないかを確認する不正チェック手段と、
前記くじの抽選番号に基づいて、当落を判定する当選判定手段と、
ユーザからの会員登録を受け付け、ユーザの識別記号であるユーザＩＤを発行し、ユーザの端末に通知するユーザＩＤ発行手段と、
前記当選判定手段の判定結果により、くじがはずれた場合には、前記抽選番号とユーザＩＤを対応づけて記録する手段と、
新たに受け付けたくじの抽選番号がはずれ場合には、当該抽選番号とともに受け付けたユーザＩＤに対応付けて前記記録した他のくじにおける抽選済みの前記抽選番号を用いて、前記新たに受け付けたくじにおける再抽選を行う再抽選手段と、
を具備することを特徴とするくじ運用システムのサーバ。
【請求項２】
前記くじには、さらに、チェックＩＤを含むくじ情報が印刷されており、
前記不正チェック手段は、前記チェックＩＤに基づいて、くじの不正使用が行われていないかを確認することを特徴とする請求項１に記載のくじ運用システムのサーバ。
【請求項３】
前記くじ運用システムのサーバには、
さらに、
くじの種類と、そのくじが添付または記載された商品とを関連づけて記録した商品リスト情報と、
前記当選判定手段の判定結果により、はずれたくじに基づいて、前記商品リスト情報から、つぎのくじを入手するための商品リストを生成する商品リスト生成手段と、を具備することを特徴とする請求項１または請求項２のいずれかに記載のくじ運用システムのサーバ。
【発明の詳細な説明】
【０００１】
【発明の属する技術分野】
本発明は、くじが印刷された印刷媒体、くじ運用システムのサーバに関し、特に、物理的なくじが印刷された媒体とネットワークをつなぎ、普段インターネットや電子メールを利用しないユーザにもホームページへのアクセスを喚起すると共に、抽選番号の入力の負担の軽減とくじの不正使用の防止を図り得る、くじ運用システムのサーバ、及びくじ情報が印刷された印刷媒体に関するものである。
【０００２】
【従来の技術】
従来から「くじ」と言えば、紙などの物理的な媒体を使用した「くじ」が一般的であったが、近年インターネットの普及等ネットワークの発達により、電子メールやＷｅｂページを利用した「くじシステム」のようなネットワークを介した「くじ」も発明されている。
【０００３】
例えば、特開２００１−７６０６６号公報「電子メールを利用したくじシステム」に開示された発明は、Ｗｅｂページ上で行われる宝くじ（スピードくじ）、懸賞等のためのシステムであり、電子メールにユニークなアクセス・キー（電子メール・アドレス（ＩＤ）、アクセス・キーワード、ＵＲＬ）を発行し、そのアクセス・キーによって抽選結果の判定を行い、これによって、従来のインターネット・ホームページ上における懸賞とは異なり、当落の結果が一定期間を置くことなく瞬時にわかるとともに、主催者側が懸賞応募者を事前に限定することができるようにした発明である。
【０００４】
この発明は、インターネット上のＷｅｂページへのアクセスを喚起することを目的として用いられている。しかし、この方法では「くじ」を利用するユーザはインターネット又は電子メールを利用していることが前提となっており、普段それらを利用しない人にホームページへのアクセスを喚起することは困難である。
【０００５】
【発明が解決しようとする課題】
本発明は、上記課題に鑑みてなされたものであり、物理的な「くじ」に記載された抽選番号を用いてネットワークを通じて抽選を行うことで、普段インターネットや電子メールを利用しないユーザにもホームページへのアクセスを喚起すると共に、Ｗｅｂページへの抽選番号の入力の負担を軽減し、またくじの不正使用の防止を図り、さらにユーザに継続的な商品購入を促すことができる、くじ運用システムのサーバ、及びくじ情報が印刷された印刷媒体を提供することを目的とする。
【０００６】
【課題を解決するための手段】
本発明は、上述した課題を解決すべくなされたもので、ユーザの端末とネットワークを介して接続され、ユーザに提供された、くじの抽選番号と、くじ運用システムのサーバのＷｅｂページアドレスとからなるくじ情報が印刷されたくじを用いて抽選を行う、くじ運用システムのサーバであって、ユーザの端末にＷｅｂページを提供するＷｅｂページ表示手段と、ユーザの端末にて入力された、くじの抽選番号を受け取る抽選番号受付手段と、前記くじの抽選番号について、くじの不正使用が行われていないかを確認する不正チェック手段と、前記くじの抽選番号に基づいて、当落を判定する当選判定手段と、ユーザからの会員登録を受け付け、ユーザの識別記号であるユーザＩＤを発行し、ユーザの端末に通知するユーザＩＤ発行手段と、前記当選判定手段の判定結果により、くじがはずれた場合には、前記抽選番号とユーザＩＤを対応づけて記録する手段と、新たに受け付けたくじの抽選番号がはずれ場合には、当該抽選番号とともに受け付けたユーザＩＤに対応付けて前記記録した他のくじにおける抽選済みの前記抽選番号を用いて、前記新たに受け付けたくじにおける再抽選を行う再抽選手段と、を具備することを特徴とするくじ運用システムのサーバである。
【０００７】
本発明の構成により、くじ運用システムのサーバでは、Ｗｅｂページを介して、くじの抽選番号をユーザの端末から受け取り、くじの不正使用が行われていないかを確認する。そして、くじの当選判定を行う。
これにより、物理的な「くじ」に記載された抽選番号を用いてネットワークを通じて抽選を行うことで、「くじ」が印刷された物理的な媒体とネットワークとを関連づけ、普段インターネットや電子メールを利用しないユーザに対して、ホームページへのアクセスを喚起することができる。
【０００８】
また、本発明は、くじ運用システムのサーバにおいて、前記くじには、さらに、チェックＩＤを含むくじ情報が印刷されており、前記不正チェック手段は、前記チェックＩＤに基づいて、くじの不正使用が行われていないかを確認することを特徴とする。
【０００９】
本発明の構成により、くじ運用システムのサーバでは、Ｗｅｂページを介して、くじの抽選番号をユーザの端末から受け取り当選判定を行うと共に、さらにチェックＩＤの情報により、「くじ」の不正使用をチェックする。
これにより、抽選番号はユーザが比較的入力しやすい桁数の番号とし、くじが当選した場合にのみチェックＩＤをユーザが入力するようにし、抽選番号をランダムに入力するランダム攻撃にも強く、かつユーザがアクセスしやすい「くじ運用システム」を実現することができる。
【００１０】
また、本発明は、くじ運用システムのサーバにおいて、前記くじ運用システムのサーバには、さらに、ユーザからの会員登録を受け付け、ユーザの識別記号であるユーザＩＤを発行し、ユーザの端末に通知するユーザＩＤ発行手段と、前記当選判定手段の判定結果により、くじがはずれた場合には、前記抽選番号とユーザＩＤを対応づけて記録する手段と、前記対応づけて記録された前記抽選番号とユーザＩＤと、ユーザが入力したくじの抽選番号とを組み合わせて当選確率を変動させる当選確率変更手段とを具備することを特徴とする。
【００１１】
本発明の構成により、くじ運用システムのサーバでは、予めユーザを会員登録し、くじの抽選番号とユーザＩＤをユーザの端末から受け取り当選判定を行う。また、くじが「はずれ」の場合には、抽選番号とユーザＩＤを対応づけて、ユーザのくじ応募履歴情報（商品購入履歴情報にもなる）をデータベースに記録し、ユーザの「くじ引き」の際に、ユーザのくじ応募履歴情報に応じて当選確率を上げたり、今回のくじの抽選番号と前回までのくじの抽選番号とを組み合わせてユーザに有利になるような抽選方法を使用する。
これにより、１つの「くじ」につき１回ごとに抽選を行うが、くじの応募回数が増える程、くじが当たる確率が高くなる。このため、ユーザに商品の継続的な購入を促すことができる。また、ユーザＩＤの確認により、くじの不正使用を防ぎやすくなる。
【００１２】
また、本発明は、くじ運用システムのサーバにおいて、前記くじ運用システムのサーバには、さらに、くじの種類と、そのくじが添付または記載された商品とを関連づけて記録した商品リスト情報と、前記当選判定手段の判定結果により、はずれたくじに基づいて、前記商品リスト情報から、つぎのくじを入手するための商品リストを生成する商品リスト生成手段とを具備することを特徴とする。
【００１３】
本発明の構成により、くじ運用システムのサーバでは予めユーザを会員登録しユーザＩＤを発行する。また、くじの抽選番号とユーザＩＤをユーザの端末から受け取り当選判定を行い、くじが「はずれ」の場合には、次に入手すべき「くじ」が添付された商品リストをユーザの端末に提示する。ユーザが次回の「くじ引き」の際に、商品リストに提示された商品の「くじ」を使用した場合には、当選確率を上げる。
これにより、商品リストで提示した商品の販売が促進される。また、ユーザがどの商品を選択したかを分析することにより、ユーザが購入する商品の購買傾向のデータが得られる。
【００１４】
また、本発明は、ユーザの端末と、くじ運用システムのサーバとがネットワークを介して接続されたくじ運用システムにおいて使用されるくじ情報が印刷された印刷媒体であって、くじの抽選番号と、くじ運用システムのサーバのＷｅｂアドレスとが印刷されたことを特徴とするくじ情報が印刷された印刷媒体としたものである。
【００１５】
本発明の構成により、くじ運用システムでは、抽選番号と、くじ運用システムのサーバのＷｅｂページのＵＲＬ（Uniform Resource Locator）とが印刷された媒体を使用する。
これにより、物理的な「くじ」に記載された抽選番号を用いてネットワークを通じて抽選を行うことで、「くじ」が印刷された物理的な媒体とネットワークとを関連づけ、普段インターネットや電子メールを利用しないユーザに対してホームページへのアクセスを喚起することができる。
【００１６】
【発明の実施の形態】
［第１の実施の形態］
図１は、本発明による「くじ運用システム」の概要を示す図その１であり、図１において、ユーザ１０の端末１１と「くじ運用システム」のサーバ２０はネットワークを介して接続され、ユーザ１０は「くじ１」を入手し、ユーザ１０は「くじ運用システム」のサーバ２０にアクセスして「くじ１」による「くじ引き」を行う。なお、図１は、くじ１に印刷されたチェックＩＤ（発行元がくじの不正防止のために使用するＩＤ）４を使用しない例である。以下、図１を基に全体の動作の流れについて説明する。
（１）「くじ１」の発行元（通常は商品の製造業者や販売業種）は、「抽選番号３」と「Ｗｅｂページアドレス２」と「チェックＩＤ４」などのくじ情報が印刷された「くじ１」を街頭や商店を通じて、あるいは商品に添付して配布する（矢付線ａ）。この「くじ１」を商品を通じて配布する場合は、商品のパッケージの内部に挿入し、「くじ１」に印刷された抽選番号３などを外部から読み取ることができないようにする。なお、「くじ１」には、図３に示すように、「抽選番号３」と「Ｗｅｂページアドレス（ＵＲＬ）２」、及び「チェックＩＤ４」が「くじ１」の媒体上に印刷されるが、この媒体は必ずしもカード状の媒体でなくても良い。例えば、商品のパッケージの中面など、外部から見えない部分に印刷してもよい。また、電子透かし情報として、商品のパッケージ表面に抽選番号を埋め込んでおいても良い。この電子透かしは、人間には知覚できず、スキャナやデジタルカメラなどで、このパッケージ表面をデジタル化して、電子透かし情報で埋め込まれた抽選番号を識別するしかない。したがって、パッケージの表面に印刷しても、容易に抽選番号を確認することはできない。
【００１７】
（２）「くじ１」を受け取ったユーザ１０はパーソナルコンピュータ１１ａまたは携帯電話等の携帯端末１１ｂを使用して「くじ運用システム」のサーバ２０のＷｅｂページにアクセスする（矢付線ｂ）。アクセスされたＷｅｂページには、最初に抽選番号の入力を促す画面２１が表示され、この画面２１上にユーザは「くじ１」に印刷された抽選番号（本例では「１２３４」）を入力する。
【００１８】
（３）Ｗｅｂページを管理するサーバ２０では、入力された抽選番号３の「当たりかはずれか」を判断して、「あたり」ならば当選を知らせる画面２２を、「はずれ」ならば「はずれ」を知らせる画面２３を表示する（矢付線ｃ、ｄ）。
【００１９】
（４）当選したユーザ１０は引き続き個人情報入力画面２４上で個人情報（住所、氏名等）を入力し特典（または賞品）を発送してもらうか（矢付線ｆ）、あるいは商品を販売する店頭で、「くじ１」を見せることにより、その場で特典（または賞品）を受け取ることもできる（矢付線ｅ）。
【００２０】
図２は、本発明による「くじ運用システム」の概要を示す図その２であり、図１に示した「くじ運用システム」と基本的な動作は同じであるが、「くじ」が当たりの場合に、ユーザ１０がチェックＩＤ（発行元がくじの不正防止のために使用するＩＤ）４を入力する点が異なる。以下、図１に示した動作と異なる部分についてのみ説明する。
【００２１】
（１）抽選番号３の入力後、「くじ」が「あたり」ならば当選を知らせる当選ページである画面２２を、「はずれ」ならば「はずれ」を知らせる落選ページである画面２３を表示する（矢付線ｃ、ｄ）。
【００２２】
（２）また、「あたり」の場合は、「あたり」表示画面２２に引き続いて、チェックＩＤ入力画面２２ａが表示される（矢付線ｇ）。ユーザ１０は、このチェックＩＤ入力画面２２ａ上にチェックＩＤ４を入力する。チェックＩＤ４の入力後、チェックが正常に行われた場合（不正がないことが確認された場合）は、個人情報入力画面２４上で個人情報（住所、氏名等）を入力し特典（または賞品）を発送してもらうか（矢付線ｈ、ｊ）、あるいは商品を販売する店頭で「くじ１」を見せることにより、その場で特典（または賞品）を受け取ることもできる（矢付線ｋ）。
【００２３】
このように、図２に示す例では、「くじ１」の抽選番号３はユーザ１０が比較的入力しやすい桁数の番号とし、くじが当選した場合にのみチェックＩＤ４をユーザに入力させることで、抽選番号をランダムに入力して不正に特典を受け取ることを目的とするランダム攻撃にも強く、かつユーザ１０がアクセスしやすい「くじ運用システム」を実現することができる。
【００２４】
なお、当選番号判定法については、本発明では、当選の判定を抽選番号３に依存して行う方法と、抽選番号３に依存しないで行う方法を選択でき、場合により適切な方法を選択して使用する。次に、当選番号判定法を例示する。
・抽選番号に依存する方法
図１５は、「くじ」の当選判定方法（１）を説明するための図であり、抽選前に当選番号を予め決めておく場合の例である。また、当選番号を決めるタイミングは、「くじ１」の作成が終わった後、かつユーザ１０が「くじ運用システム」のサーバ２０にアクセスしてくる前である。
図１５に示す例では、「くじ運用システム」のサーバ２０のデータベース４１に予め当選番号リスト４３を記録しておき、ユーザ１０が「くじ運用システム」のサーバ２０のＷｅｂページ上に入力した入力番号（抽選番号３）１００をデータベース４１内の当選番号リスト４３と照合し、一致すれば「あたり」、一致するものがなければ「はずれ」となる。
【００２５】
・抽選番号に依存しない方法
図１６は、「くじ」の当選判定方法（２）を説明するための図であり、ユーザ１０が、「くじ運用システム」のサーバ２０にアクセスした時に当落を決める方法であり、乱数を利用する方法である。
図１６において、例えば、「くじ」の発行枚数を１０００００枚（１０万枚）とし、当選枚数を１０００枚、すなわち当選率を１％とした場合は、以下のようにして抽選する。なお、この処理は、ユーザが入力番号１００（抽選番号３）入力した後に行われる。
（１）ステップＳ１２１：抽選時に「くじ」の当たり枚数が１，０００枚を越えていないことを確認する。
（２）ステップＳ１２２：１〜１００の範囲数の乱数ａを乱数発生関数により発生させる。
（３）ステップＳ１２３：発生した乱数ａ＝１の場合を当選、それ以外を落選とする。つまり、当選確率が１％となる。
【００２６】
また、図４は、本発明による「くじ運用システム」のサーバ２０の第１の構成例を示す図であり、本発明に直接関係する部分について示したものである。「くじ運用システム」のサーバ２０は、ユーザ１０の端末１１とネットワーク１２を介して接続される。また、「くじ運用システム」のサーバ２０は、「くじ」の発行者１３のサーバ１４ともネットワーク１２を介して接続される。また、「くじ運用システム」のサーバ２０内には、ネットワーク１２と接続するための通信用インタフェース３１と、サーバ２０の全体を統括制御するための制御部３２と、データベース４１と処理プログラム部５０から構成される。
【００２７】
データベース４１には、以下のデータが記録される。
・チェックＩＤ情報４２は、発行元がくじの不正防止のために使用するＩＤである。このチェックＩＤ情報４２は、「くじ」の不正な使用を防止する目的で使用するが、このチェックＩＤを使用せずに、「くじ運用システム」を構成することもできる。なお、このチェックＩＤ情報４２は、くじ発行者１３のサーバ１４からネットワークを介して提供されるか、または、くじ発行者１３から記録媒体で提供されるかのいずれであっても良い。
・当選番号リスト４３は、抽選前に予め抽選番号を決定しておく場合の当選番号リストである。なお、この当選番号リスト４３は、後述の当選番号生成処理部５３にて、生成される情報である。
・ユーザ個人情報４４は、「くじ」に当たったユーザ１０が、特典（または賞品）の送付による受け取りを希望した場合に、ユーザ１０の住所、氏名などの個人情報を記録したものである。
抽選番号情報４９は、印刷された抽選番号をすべて記録しており、後述する不正防止の際に、以前にユーザ１０から入力されたかどうかのフラグの項目や、当落のいずれの結果となったかを示すフラグの項目を備えている情報である。
なお、この抽選番号情報４９は、くじ発行者１３のサーバ１４からネットワークを介して提供されるか、または、くじ発行者１３から記録媒体で提供されるかのいずれであっても良い。
【００２８】
また、処理プログラム部５０には、以下の処理部が含まれる。
・Ｗｅｂページ表示処理部５１は、ネットワーク上にＷｅｂページを公開するともに、ユーザ１０のアクセスを受け付ける。また、ユーザ１０は、このＷｅｂページにアクセスして、抽選番号３を入力番号１００として入力する。なお、Ｗｅｂページにはパーソナルコンピュータ等の固定端末１１ａからのアクセスに対応するＷｅｂページと、携帯端末１１ｂ対応のＷｅｂページの２種類がある。
・抽選番号受付処理部５２は、Ｗｅｂページを通して、ユーザ１０の端末１１から「抽選番号」の入力を入力番号として受け付ける処理部である。
・当選番号生成処理部５３は、「くじ１」の抽選前に予め当選番号を決めておく場合に、予め決められた数の当選番号を生成し、データベース４１に当選番号リスト４３として記録する処理を行う。
・当選判定処理部５４は、「くじ１」の当選判定を行う処理部であり、この当選判定方法には、「くじ１」に印刷された抽選番号３に依存する方法と、乱数を用いた抽選番号３に依存しない方法のいずれかを選択できる。
・不正チェック処理部５５は、ユーザ１０が入力した抽選番号３が、すでに他のユーザに使われた抽選番号でないことを確認する。また、チェックＩＤ（発行元がくじの不正防止のために使用するＩＤ）４を不正防止の確認に使用する場合は、ユーザが入力したチェックＩＤと、データベース４１内に記録したチェックＩＤ情報４２とを照合する処理を行う。
・データベースへのアクセス処理部５６は、データベース４１の検索、データベース４１へのデータの書き込みなどを行う処理部である。
・特典発送処理部５７は、ユーザ１０への特典（または賞品）の発送処理を行う。例えば、発送指示伝票の印刷処理などを行う。
【００２９】
また、図５は、くじ運用システムの処理の流れを示す図その１であり、当選判定方法として乱数を用い（つまり、抽選番号３に依存しない方法）、さらに「チェックＩＤ」を使用しない場合の例である。以下、図５をもとに、くじ運用システムの動作の流れついて説明する。
（１）ユーザ１０は、パーソナルコンピュータ１１ａまたは携帯端末１１ｂなどの端末１１を使用して、「くじ運用システム」のサーバ２０のＷｅｂページにアクセスし（ステップＳ１）、そして、「くじ運用システム」のサーバ２０のＷｅｂページ表示処理部５１は、抽選番号入力ページを端末に提供する（ステップＳ２）。ユーザ１０は、端末１１を用いて、この抽選番号入力ページ上で、「くじ１」に印刷された「抽選番号３」を入力する。
「くじ運用システム」のサーバ２０の抽選番号受付処理部５２は、ユーザ１０から入力された「抽選番号３」を受け付け、この「抽選番号３」を当選判定処理部５４に渡す（ステップＳ３）。
【００３０】
（２）「くじ運用システム」のサーバ２０では、乱数を発生させ、乱数値の判定により、くじの当落判定を行う（ステップＳ４、Ｓ５）。抽選結果が「はずれ」ならば、「くじ運用システム」のサーバ２０は「はずれ」であることを知らせる落選ページを端末１１に提供する（ステップＳ６）。なお、「くじ運用システム」のサーバ２０の当選判定処理部５４は、ユーザ１０が入力した「抽選番号３」を使用済みとして、データベース４１の抽選番号情報４９に記録する。
【００３１】
（３）「あたり」の場合は、次に「くじ運用システム」のサーバ２０の不正チェック処理部５４で不正がないかどうかの確認を行う（ステップＳ７）。すなわち、「くじ運用システム」のサーバ２０の不正チェック処理部５４は、ユーザ１０が入力した抽選番号３が、すでに自他のユーザに使われた抽選番号３でないことを抽選番号情報４９にて確認する。不正に利用された抽選番号３の場合は、「くじ運用システム」のサーバ２０は「はずれ」であることを知らせる落選ページを端末１１に提供する（ステップＳ８）。
【００３２】
（４）抽選番号が不正でない場合は、「くじ運用システム」のサーバ２０は「あたり」であることを知らせる当選ページと、特典（または賞品）を店頭で受け取るか発送してもらうかの選択を促す画面を端末１１に提供する（ステップＳ９）。
【００３３】
（５）ユーザ１０は、ステップＳ９で提供された選択を促す画面を利用して特典（または賞品）を店頭で受け取るか、送付により受け取るかを選択する（ステップＳ１０）。なお、あらかじめくじ運用システム側で受け取り方法を指定しておいてもよい。
【００３４】
（６）店頭受け取りの場合、例えば、コンビニエンスストアで受け取る場合は、運用システムのサーバ２０は、コンビニエンスストア内の端末に当選を証明する当選確認ページを表示する（ステップＳ１１）。ユーザ１０は「くじ１」を店員に示して特典（または賞品）（賞品など）を受け取る。なお、例えば抽選番号情報４９を用いることで、当落の確認が行える。
【００３５】
（７）ユーザ１０が特典（または賞品）の送付による受け取りを選択した場合、「くじ運用システム」のサーバ２０のＷｅｂページ表示処理部５１は、住所、氏名などの個人情報を入力するためのＷｅｂページをユーザ１０のパーソナルコンピュータ１１ａや携帯端末１１ｂに提供する（ステップＳ１２）。ユーザ１０は、個人情報を入力する（ステップＳ１３）。「くじ運用システム」のサーバ２０は、データベースへのアクセス処理部５６を用いて、データベース４１のユーザ個人情報４４に入力された個人情報を格納し、特典発注処理部５７を用いて、特典（または賞品）をユーザ１０に送付する処理を行う。
【００３６】
また、図６は、くじ運用システムの処理の流れを示す図その２であり、抽選方法として予め当選番号リスト４３をデータベース４１内に用意し、また「チェックＩＤ４」を使用する場合の例である。また、本例では、図５に示した例と比較して、「当選判定方法」と「チェックＩＤ４」による不正の判定処理の部分のみが異なり、他の処理は同じであるので、図５と異なる処理の部分についてのみ説明する。
【００３７】
（１）ステップＳ５ａ：「くじ運用システム」のサーバ２０の当選判定処理部５４は、ユーザ１０が入力した抽選番号３と、データベース４１内に登録された当選番号リスト４３を照合し、「くじ１」に記載された当選番号３の当落判定を行う。「くじ運用システム」のサーバ２０は、Ｗｅｂページ表示処理部５１を用いて、抽選結果が「はずれ」ならば、「くじ運用システム」のサーバ２０は「はずれ」であることを知らせる落選ページをユーザ１０の端末１１に提供する（ステップＳ６）。
【００３８】
（２）「あたり」の場合、「くじ運用システム」のサーバ２０のＷｅｂページ表示処理部５１を用いて、ユーザ１０の端末１１に「くじ１」に記載された「チェックＩＤ４」を入力するための画面を提供し、この画面上にユーザ１０は「チェックＩＤ４」を入力する（ステップＳ５ｂ）。
【００３９】
（３）「くじ運用システム」のサーバ２０の不正チェック処理部５６は、ユーザ１０の端末１１から受け取った「チェックＩＤ４」による不正チェックを行う（ステップＳ７）。すなわち、「くじ運用システム」のサーバ２０の不正チェック処理部５６は、ユーザ１０が入力した抽選番号３が、すでに他のユーザ１０に使われた抽選番号３でないことを抽選番号情報４９から確認する他、ユーザ１０が入力した「チェックＩＤ４」と、「くじ１」の発行者１３のサーバ１４から通知されるか、または、予めくじ発行者１３より記録媒体などで提供されるデータベース４１に記録されたチェックＩＤ情報４２とを照合し不正がないかどうかの確認を行う。不正な「くじ１」の場合は、「くじ運用システム」のサーバ２０のＷｅｂページ表示処理部５１は「はずれ」であることを知らせる落選ページをユーザ１０の端末１１に提供する（ステップＳ８）。
以後の処理は、図５の場合と同じである。
【００４０】
以上、本発明による「くじ運用システム」の一例について説明したが、本発明による「くじ運用システム」を販売促進に結びつける具体的な例についてまとめると以下のようなものがある。もちろん、本発明は以下の適用例に限定されるものではない。
（１）例１：「インターネット商店の宣伝」
インターネット上に仮想的な店舗を構える商店が、街頭で「くじ１」付きのチラシを配布する。チラシをもらったユーザ１０は、インターネット上で買い物をしたことはなかったが、その「くじ１」の賞品に興味を持ち、その場で携帯電話などの携帯端末１１ｂから、その「くじ１」に記載されたＷｅｂページ（例えば、仮想的な店舗のページ）にアクセスする。ユーザ１０は、見事当選し、住所等を入力すると翌日には賞品が自宅に届く。ユーザ１０はインターネットの手軽さを知り、またその仮想的な店舗のページで好みの商品を発見したこともあり以後インターネット通販を利用するようになる。なお、この「くじ」を用いた処理は、前述に示したとおりである。
【００４１】
（２）例２：「一般の商店の販売促進」
ある商店は、その店舗で商品を購入したユーザ１０に「くじ１」を配布する。ユーザ１０は「くじ１」に記載されたその商店の商品を掲載したＷｅｂページにアクセスする。そして、「くじ１」のあたりはずれにかかわらずユーザ１０は、その商店の商品情報ページを閲覧する事になり、ユーザ１０のさらなる商品の購買意欲を喚起できる。また、「くじ１」に当選したユーザ１０はその店舗でのみ特典（または賞品）を受け取ることが可能であると設定すれば、当選したユーザ１０は再びその店舗に足を運ぶため、商品販売の促進が期待できる。
【００４２】
［第２の実施の形態］
次に、本発明は１回限りのくじの抽選に限らず、複数の「くじ」を関連づけて、または組み合わせて当選を決める「くじ運用システム」にも適用することができる。以下、複数の「くじ」への本発明の適用例について説明する。
【００４３】
図７は、本発明による複数の「くじ」の組み合わせ例を示す図であり、ユーザ１０が「くじＡ」、「くじＢ」、「くじＣ」が添付された商品を順次に購入し、抽選を行う場合の例を示している。なお、ユーザ１０は、この「くじ運用システム」を利用する際に予め会員登録がされており、ユーザごとにユーザＩＤとパスワードが発行されているものとする。
図７に示す例では、「くじＡ」が「はずれ」た場合、「くじ運用システム」のサーバ２０は、この「くじＡ」の情報とユーザ１００のユーザＩＤをデータベース４１に記録し、「くじＢ」の抽選結果が「はずれ」の場合に、「くじＡ」の再抽選を行う。また、「くじＡ」と「くじＢ」が「はずれ」た場合は、「くじＡ」と「くじＢ」の情報とユーザ１０のユーザＩＤをデータベース４１に記録しておき、「くじＣ」の抽選結果が「はずれ」の場合に、「くじＡ」と「くじＢ」の再抽選を行う。
【００４４】
また、図８は、図７に示した例の処理の流れを示す図であり、ユーザＩＤを基に、「はずれくじ」の情報をデータベース４１に記録する場合の例である。以下、図８に示す処理の流れについて説明する。
（１）ユーザ１０は、あらかじめ「くじ運用システム」のサーバ２０にユーザＩＤを登録しておく（ステップＳ１１、Ｓ１２、Ｓ１３）。つまり、ユーザ１０を会員登録を行うということである。
【００４５】
（２）ユーザ１０は「くじＡ」を入手して、端末１１を利用して「くじ運用システム」のサーバ２０にアクセスして、「くじＡ」の抽選番号を「くじ運用システム」のサーバ２０に送信する。（ステップＳ２１）。この際、ユーザ１０は端末１１を利用してユーザ１０のユーザＩＤも入力して「くじ運用システム」のサーバ２０に送信する。「くじ運用システム」のサーバ２０は、抽選番号受付処理部５２にて、端末１１から送信された、「くじＡ」の抽選番号と、ユーザ１０のユーザＩＤとを受け付ける。そして、「くじ運用システム」のサーバ２０は、当選判定処理部５４を用いて当たり判定を行う（ステップＳ２２）。また、「くじ運用システム」のサーバ２０は、不正チェック処理部５５を用いて、不正の有無を確認した後、「あたり」の場合は特典（または賞品）の送付手続きを行う（ステップＳ２３）。「はずれ」の場合には、「くじ運用システム」のサーバ２０は「ユーザＩＤ」と「くじＡ」の情報を対応させてデータベース４１内のユーザＩＤ情報４５に記録する（ステップＳ２４）。なお、「くじ運用システム」のサーバ２０は、くじ応募履歴登録処理部５９を用いて、ユーザ１０が入力した抽選番号とリンクする商品情報と、ユーザＩＤとをついにして、ユーザ購入履歴情報４６に記録することが行われても良い。
【００４６】
（３）ユーザ１０は「くじＢ」を入手して、端末１１を利用して「くじ運用システム」のサーバ２０にアクセスして、「くじＢ」の抽選番号を「くじ運用システム」のサーバ２０に送信する（ステップＳ３１）。その際、ユーザ１０は、端末１１を利用してユーザＩＤも同時に入力して、「くじ運用システム」のサーバ２０に送信する。「くじ運用システム」のサーバ２０は、抽選番号受付処理部５２にて、端末から送信された、「くじＢ」の抽選番号と、ユーザ１０のユーザＩＤとを受け付ける。そして、「くじ運用システム」のサーバ２０は、当選判定処理部５４を用いて当たり判定を行う（ステップＳ３２）。「くじＢ」が「はずれ」の場合は、「くじ運用システム」のサーバ２０は、ユーザＩＤ情報４５に記録されたユーザＩＤに対応した「くじＡ」と「くじＢ」の両方の抽選番号を組み合わせて、当選判定処理部５４で再抽選を行う。すなわち、ユーザ１０は「くじＡ」と「くじＢ」の２回の抽選の機会が与えられることになる。「くじＡ」と「くじＢ」の両方が「はずれ」の場合は、「くじＢ」の情報をユーザＩＤに対応させて「くじＡ」の時と同様にデータベース４１に記録する（ステップＳ３４）。「あたり」の場合は、特典（または賞品）の送付手続きを行う（ステップＳ３３）。また、「はずれ」の場合は、「くじ運用システム」のサーバ２０は、当選確率変更処理部６１を用いて、データベース４１に記録された「くじＡ」と「くじＢ」の情報を統合して、当選条件の照合、すなわち当選確率を上昇させるなどの処理を行い、当選確率の情報をユーザＩＤ情報４５に記録させる（ステップＳ３５）。
【００４７】
（４）同様にして、「くじＣ」の場合には、ユーザ１０は「くじＡ」と「くじＢ」と「くじＣ」の３回の抽選の機会が与えられることになる。
【００４８】
このような複数の「くじ」を関連づける方法により、複数回の抽選機会があることでユーザの興味を引きつけることができる。また、ユーザの複数商品への購買意欲を促進させる。さらに、ユーザと商品情報とを関連づけたユーザ購入履歴情報４６を用いて商品の購買傾向や課程を分析でき、マーケティング戦略を立てることに役立つ。
【００４９】
また、図９は、キー情報を使用した場合の処理例を示す図であり、「くじ運用システム」のサーバ２０が「はずれくじ」の情報をデータベース４１に登録する際に、ユーザＩＤを使用するのに代えて、「くじ」の抽選番号が入力されるごとに「くじ引き」を行ったことを証明するキー情報を発行する方法の例である。この方法では、個人情報から「くじ」の履歴が特定されないためユーザの心理的負担が少ない。また、「くじ運用システム」のサーバ２０の負荷が比較的少なくなる。
（１）ユーザ１０は「くじＡ」を入手して、端末１１を用いて「くじ運用システム」のサーバ２０にアクセスしてＷｅｂページを開き、「くじＡ」に記載された抽選番号を入力する（ステップＳ４１）。
そして、「くじ運用システム」のサーバ２０は、抽選番号受付処理部５２にて、抽選番号を受信する。
【００５０】
（２）「くじ運用システム」のサーバ２０は、当選判定処理部５４にて、受信した抽選番号の当たり判定を行う（ステップＳ４２）。「あたり」の場合は「くじ運用システム」のサーバ２０は、特典（または賞品）の送付手続きを行う（ステップＳ４３）。「はずれ」の場合は、「くじ運用システム」のサーバ２０は、キー情報生成処理部６０を用いてキー情報（ｋｅｙ１）を発行してユーザ１０の端末１１に通知すると共に、キー情報をキー管理情報４７に記録する。ユーザ１０の端末１１では、「くじ運用システム」のサーバ２０から通知されたキー情報（ｋｅｙ１）を端末１１のメモリ等に保存する（ステップＳ４５）。
【００５１】
（３）ユーザは「くじＢ」を入手して、端末１１を用いて「くじ運用システム」のサーバ２０にアクセスしてＷｅｂページを開き、「くじＢ」に記載された抽選番号を入力する（ステップＳ５１）。そして、「くじ運用システム」のサーバ２０は、抽選番号受付処理部５２にて、抽選番号を受信する。
【００５２】
（４）「くじ運用システム」のサーバ２０は、当選判定処理部５４にて、受信した抽選番号の当たり判定を行う（ステップＳ５２）。「あたり」の場合は、「くじ運用システム」のサーバ２０は、特典（または賞品）の送付手続きを行う（ステップＳ５３）。「くじＢ」が「はずれ」の場合は、「くじ運用システム」のサーバ２０は、キー情報生成処理部６０を用いてキー情報（ｋｅｙ２）を発行してユーザ１０の端末１１に通知するとともに、キー情報（ｋｅｙ２）をキー管理情報４７に記録する。ユーザ１０の端末１１では、「くじ運用システム」のサーバ２０から通知されたキー情報（ｋｅｙ２）を端末１１のメモリ等に保存する（ステップＳ５５）。
【００５３】
（５）ユーザ１０は、次に「くじＣ」を入手した場合には、端末１１を用いて「くじ運用システム」のサーバ２０のＷｅｂページを開き抽選番号を入力する際に、既に得たキー情報（ｋｅｙ１及びｋｅｙ２）も併せて入力する（ステップＳ６１）。「くじ運用システム」のサーバ２０では、当選確率変更処理部６１を用いて「ｋｅｙ１」と「ｋｅｙ２」の情報を統合して、当選条件の照合、すなわちキー情報がキー管理情報４７に記録されているかを確認し、そして、キー情報に対応して当選確率を上昇させるなどの処理を行い、データベース４１に記録する（ステップＳ６２）。なお、本処理例では、キー情報が２つ存在すると、当選確率が上昇することとなっているが、キー情報の数はいくつであっても良い。また、キー情報の数に比例して、当選確率の上昇が大きくなっても良い。なお、ここでは、次の「くじＣ」を入手した時の例を示したが、「くじＣ」を入手せずに、既に得たキー情報（ｋｅｙ１及びｋｅｙ２）を用いて、当選条件の照合などが行えるようにしても良い。
【００５４】
なお、キー情報（「ｋｅｙ１」と「ｋｅｙ２」）の発行方法については、図１０にその一例を示しており、キー情報の発行方法には、抽選番号に依存しないで発行する場合と、抽選番号に依存して発行する場合がある。
（１）最初に、抽選番号に依存する場合の例について説明する。
（ａ）ユーザ１０が端末１１を用いて「くじ運用システム」のサーバ２０に抽選番号７１を入力する（ステップＳ７１）。
（ｂ）「くじ運用システム」のサーバ２０は、キー情報生成処理部６０を用いて、入力された抽選番号７１から、例えば、ハッシュ値７２を生成し（ステップＳ７２）、これをキー情報７３としてデータベース４１内のキー管理情報４７に登録する（ステップＳ７３）。
（ｃ）「くじ運用システム」のサーバ２０は、生成したキー情報７３を、ユーザ１０の端末１１に通知する。
【００５５】
（２）次に、抽選番号に依存しない場合の例について説明する。
（ａ）ユーザ１０が端末１１を用いて「くじ運用システム」のサーバ２０に抽選番号８１を入力する（ステップＳ８１）。
（ｂ）「くじ運用システム」のサーバ２０は、キー情報生成処理部６０を用いて乱数を発生させる（ステップＳ８２）。発生した乱数８２について、すでにキー情報として使用されているかどうかをキー管理情報４７に対してチェックする（ステップＳ８３）。すでに使用されている場合は、再度乱数を発生させる。まだ使用されたものでない場合には、得られた乱数８２をキー情報８３としてデータベース４１内のキー管理情報４７に登録する（ステップＳ８４）。
（ｃ）「くじ運用システム」のサーバ２０は、生成した求めたキー情報８３を、ユーザ１０の端末１１に通知する（ステップＳ８５）。
【００５６】
また、図１１は、本発明による「くじ運用システム」のサーバの第２の構成例を示す図であり、図７、図８及び図９で説明した処理を行うサーバの構成例を示したものである。このサーバの基本的な構成は図４に示したサーバの構成例と同じであるが、データベース４１に記録されるデータが一部追加され、また処理プログラム部５０の内部にも処理部が追加された例である。以下、図４に示したサーバと共通の部分については説明を省略し、追加された部分についてのみ説明する。
【００５７】
本例では、図４に示した例と比較して、データベース４１には、以下の情報が追加されている。
・ユーザＩＤ情報４５は、くじ運用システムに会員登録したユーザ１０を識別するためのユーザＩＤやパスワードを記録した情報である。また、ここには、「くじ１」が「はずれ」の場合の「くじ１」の抽選番号や当選確率の情報もあわせて記録される。
・ユーザ商品購入履歴情報４６は、ユーザ１０が商品を購入し、「くじ１」を入手し、「くじ運用システム」のサーバ２０にアクセスし、抽選番号３とユーザＩＤを入力して「くじ引き」を行った場合に、ユーザＩＤを基に、ユーザ１０が購入した商品情報を履歴として記録したものである。なお、商品情報は、抽選番号と関連づけられているものとする。
・キー管理情報４７は、ユーザ１０が「くじ１」を入手し、「くじ運用システム」のサーバ２０にアクセスし、抽選番号を入力し「くじ引き」を行い、抽選結果が「はずれ」の場合に、ユーザ１０に発行したキー情報（「くじ引き」を行ったことを証明する情報）を記録したものである。
【００５８】
また、処理プログラム部５０には、以下の情報が追加されている。
・ユーザＩＤ発行処理部５８は、ユーザ１０のくじ運用システムへの会員登録を受け付け、ユーザＩＤやパスワードの発行を行う処理部である。
・くじ応募履歴登録処理部５９は、ユーザ１０が「くじ１」の抽選番号３とユーザＩＤを入力して「くじ引き」を行った場合に、抽選番号３から当該「くじ１」が添付された商品の商品情報をユーザ１０の商品購入履歴として、データベース４１内のユーザ商品購入履歴情報４６に記録する処理を行う。
・キー情報生成処理部６０は、ユーザ１０が、抽選番号を入力して「くじ引き」を行った場合に、ユーザ１０に発行するキー情報（「くじ引き」を行ったことを証明する情報）を生成し、データベース４１内のキー管理情報４７に記録する処理部である。
・当選確率変更処理部６１は、ユーザ１０が複数の「くじ１」により、「くじ引き」を行い、いずれも「はずれ」であった場合に、所定の基準により当選確率を上昇させる処理を行う。
【００５９】
［第３の実施の形態］
また、本発明では、ユーザ１０に複数の種類の「くじ」を組み合わせて入手させるために、該当する「くじ」が添付された商品リストをユーザ１０に提示し、該当する商品の購入をユーザ１０に推奨することができる。
図１２は、「くじ」を入手するために、「くじ」が添付された商品リストをユーザに提示する場合の処理の流れについて説明するための図であり、以下、図１２を基にその処理の流れについて説明する。
（１）ユーザ１０は「くじＡ」を入手し（ステップＳ９１）、端末１１を用いて「くじ運用システム」のサーバ２０にアクセスしてＷｅｂページを開き、「くじＡ」の抽選番号を入力する（ステップＳ９２）。そして、「くじ運用システム」のサーバ２０は、抽選番号受付処理部５２にて、「くじＡ」の抽選番号を受信する。
【００６０】
（２）「くじ運用システム」のサーバ２０では、当選判定処理部５４を用いて、「くじＡ」の抽選を行う（ステップＳ９３）。「くじＡ」が当たりの場合は、「くじ運用システム」のサーバ２０は、特典（または賞品）送付の手続きを行う（ステップＳ９４）。
【００６１】
（３）「くじＡ」がはずれの場合、「くじ運用システム」のサーバ２０は、商品リスト生成処理部６２にて次の「くじ」を入手するために購入すべき商品のリストを端末１１に提示する。すなわち、「くじ運用システム」のサーバ２０は、「くじ」の種類と、その「くじ」が添付された商品のリスト９１をユーザ１０の端末１１に提示する（ステップＳ９５）。
【００６２】
（４）ユーザ１０は、商品のリスト９１から「くじＤ」が添付された商品を購入し、「くじＤ」を入手し（ステップＳ１０１）、端末１１を用いて「くじ運用システム」のサーバ２０にアクセスしてＷｅｂページを開き、「くじＤ」の抽選番号を入力する（ステップＳ１０２）。そして、「くじ運用システム」のサーバ２０は、抽選番号受付処理部５２にて、「くじＤ」の抽選番号を受信する。
【００６３】
（５）「くじ運用システム」のサーバ２０では、当選判定処理部５４を用いて、「くじＤ」の抽選を行う（ステップＳ１０３）。「くじＤ」が当たりの場合は、「くじ運用システム」のサーバ２０は、特典（または賞品）送付の手続きを行う（ステップＳ１０４）。
【００６４】
（６）「くじＤ」がはずれの場合、「くじ運用システム」のサーバ２０は、商品リスト生成処理部６２にて、次の「くじ」を入手するために購入すべき商品のリストを端末１１に提示する。すなわち、「くじ運用システム」のサーバ２０は、「くじ」の種類と、その「くじ」が添付された商品のリスト９２をユーザ１０の端末１１に提示する（ステップＳ１０５）。以下、同様な手順が繰り返される。
【００６５】
このような、「くじ」が添付された商品の連鎖購入を指示する方法を用いることにより、商品の販売が促進されると共に、ユーザがどの商品の「くじ」を選択したかを分析することにより商品の購買傾向のデータが得られる。なお、ユーザ１０の購入履歴は、くじの応募の際に入力される、抽選番号とユーザＩＤから購入履歴情報を作成して、ユーザ商品購入履歴情報４６として記録される。
【００６６】
また、図１３は、複数の種類の「くじ」を組み合わせてユーザ１０に入手させる具体的な例を示す図であり、飲料商品に本発明を適用した例である。なお、本例は、「くじ運用システム」のサーバ２０から、ユーザ１０に対し予めユーザＩＤを発行する場合の例である。
（１）ユーザＩＤ「ＡＡＡＡ」を持つユーザ１０がビールＣを購入し、ビールＣに添付された「くじＣ」を入手し、「くじ運用システム」のサーバ２０にアクセスしてＷｅｂページを開き、ユーザＩＤ「ＡＡＡＡ」と「くじＣ」の抽選番号を入力する（ステップＳ１１１）。
【００６７】
（２）「くじ運用システム」のサーバ２０では、くじ応募履歴登録処理部５９を用いて、ユーザＩＤとビールＣに添付された「くじＣ」の抽選番号から得られるビールＣの情報とをデータベース４１内のユーザ商品購入履歴情報４６に追加記録する（ステップＳ１１２）。
【００６８】
（３）それから、「くじ運用システム」のサーバ２０は、当選判定処理部５４を用いて、「くじＣ」の当たりの判定を行う（ステップＳ１１３）。当たりの場合は、「くじ運用システム」のサーバ２０は、特典（または賞品）送付の手続きを行う（ステップＳ１１４）。
【００６９】
（４）「はずれ」の場合は、「くじ運用システム」のサーバ２０の商品リスト生成処理部６２は、ユーザＩＤに該当する商品購入履歴情報４６と商品リスト情報４８を検索し、次の「くじ」を入手するための、商品リスト９５をユーザ１０の端末１１に提供する（ステップＳ１１６）。
【００７０】
（５）例えば、ユーザ１０は「商品リスト９５」からコーヒーＡを選んで購入する（ステップＳ１１７）。それから、コーヒーＡに添付された「くじ」の抽選番号の入力操作に進んで行く（ステップＳ１１８）。なお、ユーザ１０が推奨された商品を購入し、該商品の添付された「くじ」で「くじ引き」を行う場合には、当選確率が上昇する。
【００７１】
また、図１４は、本発明による「くじ運用システム」のサーバ２０の第３の構成例を示す図であり、図１２、及び図１３で説明した処理を行うサーバ２０の構成例を示したものである。このサーバ２０の基本的な構成は図１１に示したサーバ２０の構成例と同じであるが、データベース４１に記録されるデータが一部追加され、また処理プログラム部５０の内部にも一部の処理部が追加された例である。以下、図１１に示したサーバと共通の部分については説明を省略し、追加された部分についてのみ説明する。
・データベース４１に記録される商品リスト情報４８は、ユーザ１０に複数の種類の「くじ」を組み合わせて購入させるために、該当する「くじ」が添付された商品リストの情報である。
・また、商品リスト生成処理部６２は、ユーザ１０に複数の種類の「くじ」を組み合わせて購入させるための、該当する「くじ」が添付された商品リストを生成する処理部である。
【００７２】
以上、［第２の実施の形態］及び「第３の実施の形態］の項で、本発明による複数の「くじ」による「くじ運用システム」の例について説明したが、複数の「くじ」による「くじ運用システム」を販売促進に結びつける具体的な適用例をまとめると以下のようなる。もちろん、本発明のくじ運用システムは以下の例に限定されるものではない。
（１）「くじ」の抽選回数が多いほど、当選確率が上がる例
商品の購入数とそれに伴う「くじ」の抽選回数が多いほど、当選確率が上がるようにする。この場合は、「くじ運用システム」のサーバ２０に抽選番号を入力する際に、ユーザＩＤを同時に入力し、「くじ運用システム」のサーバ２０のデータベース４１にユーザ１０の商品購入履歴を登録し、抽選の際にユーザ１０の商品購入履歴の応じてに、当選確率を変化させる。
【００７３】
（２）複数の「くじ」を集めて１回の抽選の権利を与える例
また、特典（または賞品）が高価なものである場合などには、複数の「くじ」を集めて１回の抽選の権利を与えるようにすることもできる。例えば、３つ以上商品を購入し、３つ以上の「くじ」を入手しなければ、「くじ」の抽選に応募する権利が得られないようにする。
【００７４】
（３）次の「くじ」の入手方法リストを提示する例
「くじ」にはずれた場合、サーバは次の「くじ」の入手方法を提示する（複数の商品からユーザが選択できる）。これにより商品の継続的な購入を促すと同時にユーザの商品の購買履歴データを得ることもできる。また、ユーザがどの商品の「くじ」を選択したかを分析することにより商品の購買傾向のデータが得られる。
【００７５】
（４）はずれ「くじ」を集めると再び抽選ができる例
１つの「くじ」のつき１回ごとに抽選を行うが、はずれた場合にも抽選回数が一定数に達すれば再び抽選権が得られる。抽選回数が増えるほどあたる確率がたかくなる。これにより商品の継続的な購入を促すことができる。
【００７６】
以上、本発明の実施の形態について説明したが、本発明は、上述の図示例にのみ限定されるものではなく、本発明の要旨を逸脱しない範囲内において種々変更を加え得ることは勿論である。
【００７７】
また、図４、図１１及び図１４に示した処理プログラム部５０は専用のハードウエアにより実現されるものであってもよく、また、処理プログラム部５０の機能を実現するためのプログラムをコンピュータ読み取り可能な記録媒体に記録して、この記録媒体に記録されたプログラムをコンピュータシステムに読み込ませ、実行することによりくじ運用システムのサーバの処理を行ってもよい。なお、ここでいう「コンピュータシステム」とは、ＯＳや周辺機器等のハードウェアを含むものとする。
【００７８】
また、「コンピュータシステム」は、ＷＷＷシステムを利用している場合であれば、ホームページ提供環境（あるいは表示環境）を含むものとする。
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００７９】
【発明の効果】
以上説明したように、この発明によれば、くじ運用システムのサーバでは、Ｗｅｂページを介して、くじの抽選番号をユーザの端末から受け取り、くじの不正使用が行われていないかを確認し、くじの当選判定を行うようにしたので、物理的な「くじ」に記載された抽選番号を用いてネットワークを通じて抽選を行うことで、「くじ」が印刷された物理的な媒体とネットワークとを関連づけ、普段インターネットや電子メールを利用しないユーザに対して、ホームページへのアクセスを喚起することができる。
【００８０】
また、この発明によれば、Ｗｅｂページを介して、くじの抽選番号をユーザの端末から受け取り当選判定を行うと共に、さらにチェックＩＤの情報により、「くじ」の不正使用をチェックするようにしたので、ユーザにとって抽選番号の入力に係る負担を軽減することができ、抽選番号をランダムに入力するランダム攻撃に対しても強くすることができる効果が得られる。
【００８１】
また、この発明によれば、予めユーザを会員登録し、くじの抽選番号とユーザＩＤをユーザの端末から受け取り当選判定を行い、くじが「はずれ」の場合には、抽選番号とユーザＩＤを対応づけてデータベースに記録しておき、当選確率を決定するようにした。これにより、１つの「くじ」につき１回ごとに抽選を行うが、くじの応募回数が増える程、くじが当たる確率が高くすることができ、ユーザに商品の継続的な購入を促すことができる効果が得られる。また、ユーザＩＤの確認により、くじの不正使用を防ぎやすくなる効果が得られる。
【００８２】
また、この発明によれば、くじの抽選番号とユーザＩＤをユーザの端末から受け取り当選判定を行い、くじが「はずれ」の場合には、次に入手すべき「くじ」が添付された商品リストをユーザの端末に提示するようにしたので、ユーザが次回の「くじ引き」の際に、商品リストに提示された商品の「くじ」を使用した場合には、当選確率を上げることができ、これにより、商品リストで提示した商品の販売を促進することができる効果が得られる。
【００８３】
本発明は、印刷媒体に抽選番号と、くじ運用システムのサーバのＷｅｂページのアドレスとを印刷するようにしたので、物理的な「くじ」に記載された抽選番号を用いてネットワークを通じて抽選を行うことで、「くじ」が印刷された物理的な媒体とネットワークとを関連づけ、普段インターネットや電子メールを利用しないユーザに対してホームページへのアクセスを喚起することができる効果が得られる。
【図面の簡単な説明】
【図１】  本発明による「くじ運用システム」の概要を示す図その１である。
【図２】  本発明による「くじ運用システム」の概要を示す図その２である。
【図３】  くじの例を示す図である。
【図４】  「くじ運用システム」のサーバの第１の構成例を示す図である。
【図５】  くじ運用システムの処理の流れを示す図その１である。
【図６】  くじ運用システムの処理の流れを示す図その２である。
【図７】  本発明による複数の「くじ」の組み合わせ例を示す図である。
【図８】  図７に示した例の処理の流れを示す図である。
【図９】  キー情報を使用した場合の処理例を示す図である。
【図１０】  キー情報の発行方法を示す図である。
【図１１】  「くじ運用システム」のサーバの第２の構成例を示す図である。
【図１２】  「くじ」が添付された商品リストをユーザに提示する場合の処理の流れについて説明するための図である。
【図１３】  複数の種類の「くじ」を組み合わせてユーザに入手させる具体的な例を示す図である。
【図１４】  「くじ運用システム」のサーバの第３の構成例を示す図である。
【図１５】  「くじ」の当選判定方法（１）を説明するための図である。
【図１６】  「くじ」の当選判定方法（２）を説明するための図である。
【符号の説明】
１  くじ
２  Ｗｅｂページアドレス（ＵＲＬ）
３  抽選番号
４  チェックＩＤ
１０  ユーザ
１１  端末
１１ａ  固定端末
１１ｂ  携帯端末
１２    ネットワーク
１３  くじ発行者
１４  くじ発行者のサーバ
２０    くじ運用システムのサーバ
３１  通信用インタフェース
３２  制御部
４１  データベース
４２  チェックＩＤ情報
４３  当選番号リスト
４４  ユーザ個人情報
４５  ユーザＩＤ情報
４６  ユーザ商品購入履歴情報
４７  キー管理情報
４８  商品リスト情報
５０  処理プログラム部
４９  抽選番号情報
５１  Ｗｅｂページ表示処理部
５２  抽選番号受付処理部
５３  当選番号生成処理部
５４  当選判定処理部
５５  不正チェック処理部
５６  データベースへのアクセス処理部
５７  特典発送処理部
５８  ユーザＩＤ発行処理部
５９  くじ応募履歴登録処理部
６０  キー情報生成処理部
６１  当選確率変更処理部
６２  商品リスト生成処理部
【図１】
0004058934.tif 000002
【図２】
0004058934.tif 000003
【図３】
0004058934.tif 000004
【図４】
0004058934.tif 000005
【図５】
0004058934.tif 000006
【図６】
0004058934.tif 000007
【図７】
0004058934.tif 000008
【図８】
0004058934.tif 000009
【図９】
0004058934.tif 000010
【図１０】
0004058934.tif 000011
【図１１】
0004058934.tif 000012
【図１２】
0004058934.tif 000013
【図１３】
0004058934.tif 000014
【図１４】
0004058934.tif 000015
【図１５】
0004058934.tif 000016
【図１６】
0004058934.tif 000017